(57)【要約】【課題】  運用効率およびサービスの向上を図ることができる貨幣入出金機の提供。【解決手段】  入金口に投入された投入貨幣を貨幣識別計数手段で金種判定および計数した結果の金額と収納する金額との差額の釣銭貨幣を収納部から出金させる通常運用モードを実行するもので、収納部内に各金種毎に貨幣の収納量を検出する検出手段が設けられ、いずれかの金種において貨幣の収納量が所定量に達したことが検出手段で検出された場合には、入金口に投入された投入貨幣を貨幣識別計数手段で金種判定および計数させて収納部に収納させるとともに投入貨幣に対する同額の両替貨幣を収納量が所定量に達した収納部から優先的に繰出手段により出金口に出金させる多貨幣優先払出両替モードに切り替える。【選択図】        図５
2005275747.tif 000002
【特許請求の範囲】
【請求項１】
貨幣が投入される入金口と、該入金口に投入された貨幣を金種判定および計数する貨幣識別計数手段と、該貨幣識別計数手段で金種判定および計数された貨幣を金種毎に分けて収納する収納部と、該収納部より指定金種の貨幣を指定枚数繰り出す繰出手段と、該繰出手段により繰り出された貨幣を機外に導く出金口とを有し、前記入金口に投入された投入貨幣を前記貨幣識別計数手段で金種判定および計数した結果の金額と収納する金額との差額の釣銭貨幣を前記繰出手段により前記収納部から前記出金口に出金させる通常運用モードを実行する貨幣入出金機において、
前記収納部内に各金種毎に貨幣の収納量を検出する検出手段が設けられ、
いずれかの金種において貨幣の収納量が所定量に達したことが前記検出手段で検出された場合には、前記入金口に投入された投入貨幣を前記貨幣識別計数手段で金種判定および計数させて前記収納部に収納させるとともに前記投入貨幣に対する同額の両替貨幣を前記収納量が所定量に達した収納部から優先的に前記繰出手段により前記出金口に出金させる多貨幣優先払出両替モードに切り替えるモード自動切替手段を有することを特徴とする貨幣入出金機。
【請求項２】
前記モード自動切替手段により前記多貨幣優先払出両替モードに切り替わったときに、該多貨幣優先払出両替モードに切り替わった旨と、前記収納量が所定量に達した貨幣の金種とを表示手段に表示することを特徴とする請求項１記載の貨幣入出金機。
【請求項３】
前記モード自動切替手段により前記多貨幣優先払出両替モードに切り替わったときに、アラーム報知手段によりアラーム音を発生させることを特徴とする請求項１または２に記載の貨幣入出金機。
【請求項４】
前記モード自動切替手段により前記多貨幣優先払出両替モードに切り替わったときに、前記収納量が所定量に達した貨幣の金種に対し予め定められた最適な投入金額を表示手段に表示することを特徴とする請求項１乃至３のいずれか一項記載の貨幣入出金機。
【請求項５】
前記最適な投入金額を超える金額が投入されたとき、これらの差額を、前記収納量が所定量に達した貨幣の金種を除いた金種によって、出金可能な貨幣の中で最少枚数払いとなる金種および枚数の組み合わせにより出金することを特徴とする請求項４記載の貨幣入出金機。
【請求項６】
貨幣の収納量が前記所定量よりも少ない第２の所定量に達したことが前記検出手段で検出されると、貨幣の収納量が前記第２の所定量に達した旨と、前記収納量が前記第２の所定量に達した貨幣の金種とを表示手段に表示するとともに、前記多貨幣優先払出両替モードに切り替え可能な状態になることを特徴とする請求項１乃至５のいずれか一項記載の貨幣入出金機。
【請求項７】
前記多貨幣優先払出両替モードにおける前記収納量が所定量に達した貨幣の払い出し上限枚数が予め設定されていることを特徴とする請求項１乃至６のいずれか一項記載の貨幣入出金機。
【請求項８】
前記収納部の貨幣を収納可能な第２の収納部を有し、いずれかの金種において貨幣の収納量が所定量に達したことが前記検出手段にて検出された場合には、前記モード自動切替手段による前記多貨幣優先払出両替モードに優先して、前記収納量が所定量に達した前記収納部から前記第２の収納部に貨幣を移送する内部移送モードをさらに実行可能とされていることを特徴とする請求項１乃至７のいずれか一項記載の貨幣入出金機。
【発明の詳細な説明】
【技術分野】
【０００１】
本発明は、釣銭を自動的に払い出す貨幣入出金機に関する。
【背景技術】
【０００２】
例えばＰＯＳレジ等の上位機に接続されて釣銭を自動的に払い出す釣銭機として用いられる貨幣入出金機がある（例えば特許文献１参照）
【特許文献１】特許第２９３８７４７号公報
【発明の開示】
【発明が解決しようとする課題】
【０００３】
上記した貨幣入出金機においては、受け入れた貨幣を金種別に収納部に収納させることになるが、いずれかの収納部が満杯になったことが検出されると、それ以上の収納ができないことから、取引を中止して収納部の貨幣を回収するように操作者に何らかの指示を発する。このようなことがあると、例え１金種であっても、次にどの金種が投入されるかが未知であるために機械を停止させなければならず、したがって運用効率の低下およびサービスの低下を招くという問題があった。
【０００４】
したがって、本発明は、運用効率およびサービスの向上を図ることができる貨幣入出金機の提供を目的とする。
【課題を解決するための手段】
【０００５】
上記目的を達成するために、請求項１に係る発明は、貨幣が投入される入金口と、該入金口に投入された貨幣を金種判定および計数する貨幣識別計数手段と、該貨幣識別計数手段で金種判定および計数された貨幣を金種毎に分けて収納する収納部と、該収納部より指定金種の貨幣を指定枚数繰り出す繰出手段と、該繰出手段により繰り出された貨幣を機外に導く出金口とを有し、前記入金口に投入された投入貨幣を前記貨幣識別計数手段で金種判定および計数した結果の金額と収納する金額との差額の釣銭貨幣を前記繰出手段により前記収納部から前記出金口に出金させる通常運用モードを実行する貨幣入出金機において、前記収納部内に各金種毎に貨幣の収納量を検出する検出手段が設けられ、いずれかの金種において貨幣の収納量が所定量に達したことが前記検出手段で検出された場合には、前記入金口に投入された投入貨幣を前記貨幣識別計数手段で金種判定および計数させて前記収納部に収納させるとともに前記投入貨幣に対する同額の両替貨幣を前記収納量が所定量に達した収納部から優先的に前記繰出手段により前記出金口に出金させる多貨幣優先払出両替モードに切り替えるモード自動切替手段を有することを特徴としている。
【０００６】
請求項２に係る発明は、請求項１に係る発明において、前記モード自動切替手段により前記多貨幣優先払出両替モードに切り替わったときに、該多貨幣優先払出両替モードに切り替わった旨と、前記収納量が所定量に達した貨幣の金種とを表示手段に表示することを特徴としている。
【０００７】
請求項３に係る発明は、請求項１または２に係る発明において、前記モード自動切替手段により前記多貨幣優先払出両替モードに切り替わったときに、アラーム報知手段によりアラーム音を発生させることを特徴としている。
【０００８】
請求項４に係る発明は、請求項１乃至３のいずれか一項に係る発明において、前記モード自動切替手段により前記多貨幣優先払出両替モードに切り替わったときに、前記収納量が所定量に達した貨幣の金種に対し予め定められた最適な投入金額を表示手段に表示することを特徴としている。
【０００９】
請求項５に係る発明は、請求項４に係る発明において、前記最適な投入金額を超える金額が投入されたとき、これらの差額を、前記収納量が所定量に達した貨幣の金種を除いた金種によって、出金可能な貨幣の中で最少枚数払いとなる金種および枚数の組み合わせにより出金することを特徴としている。
【００１０】
請求項６に係る発明は、請求項１乃至５のいずれか一項に係る発明において、貨幣の収納量が前記所定量よりも少ない第２の所定量に達したことが前記検出手段で検出されると、貨幣の収納量が前記第２の所定量に達した旨と、前記収納量が前記第２の所定量に達した貨幣の金種とを表示手段に表示するとともに、前記多貨幣優先払出両替モードに切り替え可能な状態になることを特徴としている。
【００１１】
請求項７に係る発明は、請求項１乃至６のいずれか一項に係る発明において、前記多貨幣優先払出両替モードにおける前記収納量が所定量に達した貨幣の払い出し上限枚数が予め設定されていることを特徴としている。
【００１２】
請求項８に係る発明は、請求項１乃至７のいずれか一項に係る発明において、前記収納部の貨幣を収納可能な第２の収納部を有し、いずれかの金種において貨幣の収納量が所定量に達したことが前記検出手段にて検出された場合には、前記モード自動切替手段による前記多貨幣優先払出両替モードに優先して、前記収納量が所定量に達した前記収納部から前記第２の収納部に貨幣を移送する内部移送モードをさらに実行可能とされていることを特徴としている。
【発明の効果】
【００１３】
請求項１に係る発明によれば、いずれかの金種の収納部において貨幣の収納量が所定量に達したことが検出手段で検出された場合に、モード自動切替手段が、入金口に投入された投入貨幣を貨幣識別計数手段で金種判定および計数させて収納部に収納させるとともに投入貨幣に対する同額の両替貨幣を収納量が所定量に達した収納部から優先的に繰出手段により出金口に出金させる多貨幣優先払出両替モードに切り替えるため、手元金の一部を投入すれば、同額の両替貨幣を収納量が所定量に達した収納部から優先的に出金させることになって収納量が所定量に達した収納部の貨幣量を減らすことができる。よって、収納部から貨幣を回収する回収作業を行うことなく、また運用を停止させることなく続けることが可能になる。したがって、運用効率およびサービスの向上を図ることができる。
【００１４】
請求項２に係る発明によれば、多貨幣優先払出両替モードに切り替わったときに、その旨と、収納量が所定量に達した貨幣の金種とを表示手段に表示するため、操作者は表示手段を確認することで、多貨幣優先払出両替モードに切り替わったこととその金種とを確認できる。したがって、収納量が所定量に達した貨幣を払い出させるために必要な投入すべき金種の貨幣および金額を容易に判断できる。
【００１５】
請求項３に係る発明によれば、多貨幣優先払出両替モードに切り替わったときに、アラーム報知手段によりアラーム音を発生させるため、多貨幣優先払出両替モードに切り替わったことを操作者に確実に認識させることができる。
【００１６】
請求項４に係る発明によれば、多貨幣優先払出両替モードに切り替わったときに、収納量が所定量に達した貨幣の金種に対し予め定められた最適な投入金額を表示手段に表示するため、操作者は表示にしたがって貨幣を投入すれば良くなる。したがって、収納量が所定量に達した貨幣を払い出させるために必要な投入すべき金種の貨幣および金額を即座に投入できる。
【００１７】
請求項５に係る発明によれば、表示手段に表示した最適な投入金額を超える金額が投入されたとき、これらの差額を、収納量が所定量に達した貨幣の金種を除いた金種によって、出金可能な貨幣の中で最少枚数払いとなる金種および枚数の組み合わせにより出金することになるため、操作者は、表示された投入すべき金額をあまり気にせずにそれを超える金額の貨幣を投入すれば済むことになる。
【００１８】
請求項６に係る発明によれば、貨幣の収納量が前記所定量よりも少ない第２の所定量に達したことが検出手段で検出されると、貨幣の収納量が第２の所定量に達した旨と、収納量が第２の所定量に達した貨幣の金種とを表示手段に表示するとともに、多貨幣優先払出両替モードに切り替え可能な状態になるため、操作者は表示手段を確認することで、多貨幣優先払出両替モードに切り替わることが近い状態にあることとその金種とを確認できる。よって、必要に応じて多貨幣優先払出両替モードに切り替えて第２の所定量に達した貨幣を両替貨幣として払い出し、減らすことができる。
【００１９】
請求項７に係る発明によれば、多貨幣優先払出両替モードにおける収納量が所定量に達した貨幣の払い出し上限枚数が予め設定されているため、不要に多量の貨幣を払い出してしまうことを防止することができる。
【００２０】
請求項８に係る発明によれば、いずれかの金種において貨幣の収納量が所定量に達したことが検出手段にて検出された場合には、モード自動切替手段による多貨幣優先払出両替モードに優先して、収納量が所定量に達した収納部から第２の収納部に貨幣を移送する内部移送モードを実行すれば、両替をすることなく、収納量が所定量に達した収納部から第２の収納部に貨幣を移送してその収納量を減らすことができる。
【発明を実施するための最良の形態】
【００２１】
本発明の一実施形態の貨幣入出金機を図面を参照して以下に説明する。
図１に示すように、本実施形態の貨幣入出金機１０は、硬貨の入出金が可能な硬貨部１１と紙幣の入出金が可能な紙幣部１２とが一体に並設されたもので、例えばＰＯＳレジ等の上位機に接続されて釣銭機として用いられるものである。なお、以下の説明において、前は貨幣入出金機１０の操作者側、後は貨幣入出金機１０の操作者に対し反対側、左は貨幣入出金機１０の操作者から見て左、右は貨幣入出金機１０の操作者から見て右である。
【００２２】
硬貨部１１は貨幣入出金機１０の左右方向における一側具体的には右側に設けられており、紙幣部１２は左右方向における逆側具体的には左側に設けられている。
【００２３】
硬貨部１１には、前側つまり操作者側の上部の右側に、機外からバラ硬貨が金種が混在する状態で一括して投入される硬貨入金口（入金口）１５が設けられ、この硬貨入金口１５の左側に、操作者による操作入力が行われる操作部１６および操作者への表示を行う案内表示部１７が前後に並んで設けられている。また、硬貨部１１には、これら硬貨入金口１５、操作部１６および案内表示部１７の下側つまり前側の中間部の右側に、内部からバラ硬貨が機外に取出可能に出金される硬貨出金口（出金口）１８が設けられ、この硬貨出金口１８の左側にリジェクトされたリジェクト硬貨が排出される硬貨リジェクト口１９が設けられている。
【００２４】
紙幣部１２は、前側つまり操作者側の上部に、バラ紙幣が金種が混在する状態で機外から一括して投入される紙幣入金口（入金口）２１が設けられており、その下側つまり前側の中間部に内部からバラ紙幣が金種が混在する状態で出金される紙幣出金口（出金口）２２が設けられていて、この紙幣出金口２２の下側に、図２に示す紙幣リジェクト庫２３および紙幣回収庫２４が一体とされた着脱可能な紙幣回収金庫２５が設けられている。
【００２５】
まず、紙幣部１２の概略構成について図２を参照して説明する。
【００２６】
紙幣部１２は、紙幣入金口２１に投入された紙幣を１枚ずつに分離して繰り出す入金紙幣繰出部３０と、この入金紙幣繰出部３０で繰り出された紙幣を搬送する入金紙幣搬送路３１と、入金紙幣搬送路３１の途中に設けられて紙幣の真偽、金種および正損等を判定しかつ真紙幣を金種毎に計数する紙幣識別部（貨幣識別計数手段）３２とを有している。
【００２７】
また、紙幣部１２は、入金紙幣搬送路３１の紙幣識別部３２よりも下流側に設けられた振分部３４と、入金紙幣搬送路３１の振分部３４の位置から分岐する紙幣搬送路３５とを有している。紙幣搬送路３５は紙幣出金口２２に接続する出金紙幣搬送路３６に合流しており、振分部３４は、紙幣識別部３２の識別結果に応じて、偽券、汚損券および判別不能とされた紙幣を紙幣搬送路３５側へと振り分ける。そして、該偽券、汚損券および判別不能とされた紙幣は、入金紙幣搬送路３１から紙幣搬送路３５へと搬送され、出金紙幣搬送路３６を介して機外へ取出可能となるように紙幣出金口２２に繰り出される。一方、振分部３４は、真券でありかつ汚損のない正券とされた紙幣をそのまま入金紙幣搬送路３１の下流側へと導く。紙幣部１２は、この入金紙幣搬送路３１の振分部３４よりも下流側に、紙幣識別部３２の識別結果に基づいて紙幣を選別収納する入出金可能な複数具体的には三つの収納部としての紙幣収納部３８〜４０を有している。
【００２８】
つまり、紙幣部１２は、入金紙幣搬送路３１の振分部３４よりも下流側に、紙幣を分岐紙幣搬送路４３側に振り分けて最も上流側の紙幣収納部３８へと導く振分部４２を有しており、入金紙幣搬送路３１の振分部４２よりも下流側に、紙幣を分岐紙幣搬送路４５側に振り分けて中間の紙幣収納部３９へと導く振分部４４を有している。そして、入金紙幣搬送路３１の振分部４４よりも下流側には最も下流側の紙幣収納部４０が接続されている。
【００２９】
紙幣収納部３８は、上部から紙幣が１枚ずつ入金され、出金紙幣繰出部（繰出手段）４７が下部から紙幣を１枚ずつ分離して出金させる。紙幣収納部３９も、上部から紙幣が１枚ずつ入金され、出金紙幣繰出部（繰出手段）４８が下部から紙幣を１枚ずつ分離して出金させる。紙幣収納部４０も、上部から紙幣が１枚ずつ入金され、出金紙幣繰出部（繰出手段）４９が下部から紙幣を１枚ずつ分離して出金させる。
【００３０】
紙幣収納部３８の下部は繰出紙幣搬送路５０を介して、上記した紙幣出金口２２につながる出金紙幣搬送路３６に接続されている。紙幣収納部３９の下部は繰出紙幣搬送路５１を介して出金紙幣搬送路３６に接続されており、紙幣収納部４０の下部は出金紙幣搬送路３６の末端に接続されている。
【００３１】
紙幣部１２は、出金紙幣搬送路３６における紙幣搬送路３５の合流位置よりも下流側に設けられた振分部５４と、出金紙幣搬送路３６の振分部５４の位置から分岐する分岐紙幣搬送路５５とを有しており、この分岐紙幣搬送路５５には入金のみが可能な上記した紙幣回収庫２４が接続されている。振分部５４は、紙幣回収庫２４に収納させるべき紙幣を分岐紙幣搬送路５５側へ、またそれ以外の紙幣をそのまま出金紙幣搬送路３６の下流側へと振り分ける。
【００３２】
また、紙幣部１２は、出金紙幣搬送路３６における振分部５４よりも下流側に設けられた振分部５７と、出金紙幣搬送路３６の振分部５７の位置から分岐する分岐紙幣搬送路５８とを有しており、この分岐紙幣搬送路５８には入金のみが可能な紙幣リジェクト庫２３が接続されている。振分部５７は、紙幣リジェクト庫２３に収納させるべき紙幣を分岐紙幣搬送路５８側へ、またそれ以外の紙幣をそのまま出金紙幣搬送路３６の下流側つまり紙幣出金口２２側へと振り分ける。
【００３３】
なお、紙幣部１２は、入金された紙幣を出金用として使用する還流式のものであり、入金および出金が可能な三つの紙幣収納部３８〜４０に金種毎に分けて収納する。例えば、５０００円券を紙幣収納部３８に、１０００円券を紙幣収納部３９に、１００００円券を紙幣収納部４０にそれぞれ収納するようになっている。また、紙幣部１２は、紙幣収納部３８〜４０の上流側に一時貯留部は設けられておらず、紙幣識別部３２で真券でありかつ汚損のない正券と判定された紙幣をそのまま紙幣収納部３８〜４０に収納させる。なお、取り扱い数が最少の２０００円券については、入金のみが可能な紙幣回収庫２４に収納させ、還流させない。ここで、紙幣収納部３８〜４０の金種設定はこれに限らず変更可能である。
【００３４】
次に、硬貨部１１の概略構成について主に図３を参照して説明する。
【００３５】
硬貨部１１は、硬貨入金口１５に投入された硬貨を１枚ずつに分離して繰り出す入金硬貨繰出部６１と、入金硬貨繰出部６１で繰り出された硬貨を搬送する入金硬貨搬送部６２とを備えている。入金硬貨搬送部６２には、その上流側に、通過する硬貨の真偽、金種および正損等を判定しかつ真硬貨を金種毎に計数する硬貨識別部６３（貨幣識別計数手段）が設けられ、この硬貨識別部６３の下流側には硬貨を入金硬貨搬送部６２から排除可能なリジェクト部６４が設けられており、このリジェクト部６４の下流側に、硬貨を選別する選別部６５〜７１が設けられている。
【００３６】
各選別部６５〜７１で選別された硬貨は、各選別部６５〜７１に一対一で対応する各金種別の硬貨収納部（収納部）７３に収納される。図３においては図示の向きから一つの硬貨収納部７３のみが示されているが、各硬貨収納部７３はそれぞれが前後方向に沿う状態で左右方向に並べられており硬貨を金種毎に分けて収納する。リジェクト部６４で落下された硬貨はリジェクトシュート７４で前側の硬貨リジェクト口１９に案内される。例えば、硬貨収納部７３は、１円硬貨を収納させるものと、５０円硬貨を収納させるものと、５円硬貨を収納させるものと、１００円硬貨を収納させるものと、１０円硬貨を収納させるものと、５００円硬貨を収納させるものとがある。
【００３７】
各硬貨収納部７３は、それぞれの底部を形成するように前後方向に延在する状態で左右方向に並設されて正転時に硬貨出金口１８側に硬貨を搬送する無端のベルトコンベア７６と、ベルトコンベア７６の搬送方向とは逆方向に対向部分を移動させるように回転する分離ローラ７７とを有している。ここで、ベルトコンベア７６は、下流側が上側に位置するように傾斜しており、その上部側所定位置に上記した分離ローラ７７が配置されている。
【００３８】
そして、各金種別の硬貨収納部７３は、すべてのベルトコンベア７６が一度に駆動させられることでバラ硬貨を硬貨出金口１８側に搬送することになり、このとき分離ローラ７７がバラ硬貨を１枚ずつに分離する。
【００３９】
各金種別の硬貨収納部７３は、それぞれ、分離ローラ７７よりも下流側で硬貨の繰り出しを規制および許容する出金硬貨繰出部７８を有している。
【００４０】
貨幣入出金機１０の硬貨部１１と紙幣部１２とは、共通の制御部（両替動作手段，復帰手段）８１によって制御されることになり、図４に示すように、制御部８１は、制御プログラムが記憶されたＲＯＭ（記憶手段）８２と、紙幣識別部３２の識別に基づく金種別の紙幣枚数および硬貨識別部６３の識別に基づく金種別の硬貨枚数等を記憶するＲＡＭ（検出手段）８３とに通信可能に接続されている。
【００４１】
また、制御部８１は、紙幣部１２の入金系を駆動する紙幣部入金系駆動部８５と、紙幣部１２の出金系を駆動する紙幣部出金系駆動部８６と、硬貨部１１の入金系を駆動する硬貨部入金系駆動部８７と、硬貨部１１の出金系を駆動する硬貨部出金系駆動部８８とに通信可能に接続されており、これらを制御する。
【００４２】
加えて、制御部８１は、５０００円券用の紙幣収納部３８内の紙幣の収納量がフル状態にあることおよびニアフル状態にあることを検出する検出センサ（検出手段）９０と、１０００円券用の紙幣収納部３９内の紙幣の収納量がフル状態にあることおよびニアフル状態にあることを検出する検出センサ（検出手段）９１と、１００００円券用の紙幣収納部４０内の紙幣の収納量がフル状態にあることおよびニアフル状態にあることを検出する検出センサ（検出手段）９２と、２０００円券が収納される紙幣回収庫２４内の紙幣の収納量がフル状態にあることおよびニアフル状態にあることを検出する検出センサ（検出手段）９３とに通信可能に接続されている。
【００４３】
さらに、制御部８１は、１円硬貨用の硬貨収納部７３内の硬貨の収納量がフル状態にあることおよびニアフル状態にあることを検出する検出センサ（検出手段）９５と、５０円硬貨用の硬貨収納部７３内の硬貨の収納量がフル状態にあることおよびニアフル状態にあることを検出する検出センサ（検出手段）９６と、５円硬貨用の硬貨収納部７３内の硬貨の収納量がフル状態にあることおよびニアフル状態にあることを検出する検出センサ（検出手段）９７と、１００円硬貨用の硬貨収納部７３内の硬貨の収納量がフル状態にあることおよびニアフル状態にあることを検出する検出センサ（検出手段）９８と、１０円硬貨用の硬貨収納部７３内の硬貨の収納量がフル状態にあることおよびニアフル状態にあることを検出する検出センサ（検出手段）９９と、５００円硬貨用の硬貨収納部７３内の硬貨の収納量がフル状態にあることおよびニアフル状態にあることを検出する検出センサ（検出手段）１００とに通信可能に接続されている。
【００４４】
なお、フル状態とは、この状態が検出されたときにはそれ以上の貨幣の収納は不可となり制御部８１はフル状態が解消されるまでそれ以上の貨幣の収納を規制するように処理を中断する状態である。また、ニアフル状態とは、この状態が検出されたときでもそれ以上の貨幣の収納は可能であり制御部はそれ以上の貨幣の収納を許容するように処理を続行することになるが、上記したフル状態に近いことを警告する必要がある状態である。
【００４５】
ここで、制御部８１は検出センサ９０〜９３，９５〜１００の検出結果に加えてＲＡＭ８３に記憶された金種毎の収納枚数から、全紙幣収納部３８〜４０、紙幣回収庫２４および全硬貨収納部７３のフル状態およびニアフル状態を検出するようになっている。例えば、検出センサ９０〜９３，９５〜１００の検出結果およびＲＡＭ８３に記憶された金種毎の収納枚数のいずれで検出されてもフル状態およびニアフル状態と判定する。
【００４６】
加えて、制御部８１は、操作部１６と案内表示部１７とに通信可能に接続されており、操作部１６には、貨幣入出金機１０のモードを通常運用モードから両替モードに切り替える指定操作が入力される両替モード切替キー（指定手段）１０２が設けられている。
【００４７】
ＲＯＭ８２には、貨幣入出金機１０を釣銭機として作動させるための通常運用モード用のプログラムと、貨幣入出金機１０を両替機として作動させるための両替モード用のプログラムと、いずれかの金種において貨幣の収納量が所定量に達したことが検出された場合に貨幣入出金機１０を両替機として作動させしかもこの金種の貨幣を優先的に出金させる多貨幣優先払出両替モードのプログラムとが記憶されており、制御部８１は、両替モードの指定操作がなされた場合に、その直後に硬貨入金口１５および紙幣入金口２１に投入された貨幣を処理する場合のみ両替モード用のプログラムを読み出して実行することになり、また、いずれかの金種において貨幣の収納量が所定量に達したことが検出された場合のみ多貨幣優先払出両替モードのプログラムを読み出して実行することになって、これら以外では通常運用モード用のプログラムを実行することになる。
【００４８】
ここで、貨幣入出金機１０は、基本的には通常運用モードで運用される。
【００４９】
この通常運用モード用のプログラムに基づく作動を説明する。
通常運用モードでは、貨幣入出金機１０が釣銭機として機能することになり、例えば、図示せぬ上位機で買い上げ金額が確定すると、次に、買い上げ金額に応じた貨幣が硬貨入金口１５および紙幣入金口２１の少なくともいずれか一方に投入されることになる。なお、制御部８１は、硬貨入金口１５および紙幣入金口２１への貨幣の投入にそれぞれ待ち時間を設定しており、この待ち時間内に硬貨入金口１５および紙幣入金口２１の少なくともいずれか一方に投入された貨幣については一回の投入貨幣として取り扱う。
【００５０】
そして、操作部１６に入金操作が入力されると、制御部８１は、硬貨部１１および紙幣部１２に以下の入金動作を実行させる。
【００５１】
つまり、紙幣部１２においては、紙幣入金口２１の紙幣を入金紙幣繰出部３０で１枚ずつ分離して入金紙幣搬送路３１に繰り出し、入金紙幣搬送路３１で搬送中に紙幣識別部３２で識別する。そして、紙幣識別部３２の識別結果に基づき、偽券、損券および判別不能とされた紙幣を、振分部３４にて入金紙幣搬送路３１から紙幣搬送路３５に振り分け、紙幣搬送路３５から出金紙幣搬送路３６を介して振分部５４および振分部５７にてそのまま紙幣出金口２２に繰り出すことで、機外にリジェクトする。
【００５２】
他方、紙幣識別部３２の識別結果に基づき、振分部３４は、真券かつ正券とされた紙幣をそのまま入金紙幣搬送路３１の下流側に搬送させて、紙幣収納部３８〜４０のうちの金種に応じたいずれかに上部から収納させる。つまり、５０００円券であれば、振分部４２で振り分けて分岐紙幣搬送路４３から紙幣収納部３８に収納し、１０００円券であれば、振分部４２および振分部４４で振り分けて分岐紙幣搬送路４５から紙幣収納部３９に収納し、１００００円券であれば、振分部４２および振分部４４で振り分けて入金紙幣搬送路３１を介して紙幣収納部４０に収納する。なお、制御部８１は、各紙幣収納部３８〜４０に収納された紙幣の数を把握しておりこの紙幣数から割り出される紙幣収納部３８〜４０に収納しきれないオーバーフロー紙幣と、２０００円券とについては、振分部３４にて入金紙幣搬送路３１から紙幣搬送路３５および出金紙幣搬送路３６に振り分け、さらに振分部５４にて分岐紙幣搬送路５５に振り分けて、紙幣回収庫２４に収納する。
【００５３】
制御部８１は、紙幣識別部３２の識別結果つまり金種毎の計数値をＲＡＭ８３に記憶させており、紙幣入金口２１に投入されたすべての紙幣が紙幣収納部３８〜４０、紙幣出金口２２および紙幣回収庫２４のいずれかに案内されたことがセンサにより検出されると、紙幣部１２については入金動作が完了したと判定し、今回の入金動作で入金された紙幣の合計金額を算出する。
【００５４】
上記した紙幣の入金動作と並行して、硬貨部１１では、硬貨入金口１５の硬貨を入金硬貨繰出部６１で１枚ずつ分離して入金硬貨搬送部６２に繰り出し、入金硬貨搬送部６２で搬送しつつ硬貨識別部６３で識別する。そして、硬貨識別部６３の識別結果に基づき、偽硬貨、汚損硬貨および判別不能とされた硬貨は、リジェクト部６４がリジェクトシュート７４を介して硬貨リジェクト口１９に繰り出させることで、機外にリジェクトされる。
【００５５】
他方、硬貨識別部６３の識別結果に基づき、真硬貨かつ汚損のない正硬貨とされた硬貨は、リジェクト部６４によってそのまま入金硬貨搬送部６２の下流側に移動させられる。その結果、真硬貨かつ汚損のない正硬貨とされた硬貨は、選別部６５〜７１の対応するもので選別されて各対応する金種の硬貨収納部７３に収納される。つまり、１円硬貨は１円硬貨用の硬貨収納部７３に、５０円硬貨は５０円硬貨用の硬貨収納部７３に、５円硬貨は５円硬貨用の硬貨収納部７３に、１００円硬貨は１００円硬貨用の硬貨収納部７３に、１０円硬貨は１０円硬貨用の硬貨収納部７３に、５００円硬貨は５００円硬貨用の硬貨収納部７３にそれぞれ収納される。
【００５６】
ここで、制御部８１は、硬貨識別部６３の識別結果つまり金種毎の計数値をＲＡＭ８３に記憶させており、硬貨入金口１５に投入されたすべての硬貨が硬貨収納部７３および硬貨リジェクト口１９のいずれかに案内されたことがセンサで検出されると、硬貨部１１については入金動作が完了したと判定し、今回の入金動作で入金された硬貨の合計金額を算出する。
【００５７】
そして、硬貨部１１および紙幣部１２がともに入金動作が完了すると、制御部８１は、今回の入金動作で入金された硬貨および紙幣の合計金額を算出し、案内表示部１７に表示させるとともに、その後の処理を促す表示を行う。すなわち、追加入金をするか、入金取消をするか、入金確定をするかを問う。
【００５８】
例えば、入金確定の指定操作がなされると、入金された貨幣の合計金額を上位機に送る。すると、上位機は入金された貨幣の合計金額から買い上げ金額を減算して釣銭金額を算出する。そして、釣銭金額を制御部８１に出力する。
【００５９】
すると、制御部８１は、この出金指令に基づいて紙幣部１２および硬貨部１１に最少枚数の貨幣を釣銭貨幣として出金させるように出金動作を実行させる。
【００６０】
つまり、制御部８１は、紙幣部１２において出金させる紙幣がある場合、出金紙幣繰出部４７，４８のうちの対応するものを駆動し、指定された金種の紙幣を指定された枚数だけ紙幣収納部３８，３９から繰り出させ、出金紙幣搬送路３６を介して振分部５４および振分部５７で振り分けて紙幣出金口２２に繰り出させる。その後、紙幣出金口２２から紙幣が取り除かれたことが図示せぬセンサで検出されると制御部８１は紙幣部１２についての出金動作が完了したと判定する。
【００６１】
また、制御部８１は、硬貨部１１において出金させる硬貨がある場合、上記した紙幣の出金動作と並行して、硬貨収納部７３のベルトコンベア７６をすべて駆動するとともに、硬貨収納部７３の出金硬貨繰出部７８のうちの対応するものを駆動して、指定された金種の硬貨を指定された枚数だけ硬貨収納部７３から硬貨出金口１８に繰り出させる。その後、硬貨出金口１８から硬貨が取り除かれたことが図示せぬセンサで検出されると制御部８１は硬貨部１１について出金動作が完了したと判定する。
【００６２】
そして、硬貨部１１および紙幣部１２がともに出金動作が完了すると、制御部８１は、今回の一連の釣銭支払い用の入出金動作が完了したと判定する。
【００６３】
上記通常運用モードにおいて、制御部８１は、図５のフローチャートの制御内容を並行して行っている。
【００６４】
つまり、制御部８１は、検出センサ９０〜９２，９５〜１００の検出結果およびＲＡＭ８３に記憶された金種毎の収納枚数から、全紙幣収納部３８〜４０および全硬貨収納部７３のうちのいずれかの収納量が所定の基準量（所定値）に達したフル状態にあるか否かを判定し（ステップＳ１）、いずれも基準量に達していない場合、操作部１６の両替モード切替キー１０２により両替モードの指定操作がなされたか否かを判定する（ステップＳ２）。両替モードの指定操作がなされていない場合には、通常運用モードを継続させる（ステップＳ３）。
【００６５】
ステップＳ２において、両替モードの指定操作がなされた場合、制御部８１は、両替モードのプログラムを実行することになり、硬貨部１１および紙幣部１２の少なくともいずれか一方に貨幣が投入されたか否かセンサの出力により判定し（ステップＳ４）、投入されたことが検出されると、硬貨部１１および紙幣部１２のうち貨幣が投入されたものに上記と同様の入金動作を行わせる（ステップＳ５）。これにより、今回の両替モードで硬貨入金口１５および紙幣入金口２１の少なくともいずれか一方に投入された一回分の投入貨幣が、真偽および金種の識別および計数が行われた後に収納される。なお、制御部８１は、硬貨部１１の硬貨入金口１５および紙幣部１２の紙幣入金口２１への貨幣の投入にそれぞれ待ち時間を設定しており、この待ち時間内に硬貨入金口１５および紙幣入金口２１の少なくともいずれか一方に投入された貨幣については同じ一回の投入貨幣として取り扱う。
【００６６】
そして、入金動作が完了すると（ステップＳ６）、制御部８１は、今回の両替モードで投入された一回分の投入貨幣の金種および枚数の計数結果および合計金額を案内表示部１７に表示させる（ステップＳ７）。続いて、制御部８１は、今回の両替モードで投入された一回分の投入貨幣が、単数枚であるか複数枚であるかを判定する（ステップＳ８）。
【００６７】
ステップＳ８で単数枚であると判定した場合、今回の両替モードで投入された一回分の投入貨幣と同額の予め設定された金種および枚数の組み合わせの両替貨幣を、上記した出金動作を行うことで出金させるパターン両替を行う（ステップＳ９）。
【００６８】
ここで、ステップＳ９では、以下のように両替貨幣を設定する。
投入貨幣が１倍貨（１００００円券、１０００円券、１００円硬貨および１０円硬貨）の場合は、（一つ下の金種の貨幣×１）＋（二つ下の金種の貨幣×５）を両替貨幣とする。
また、投入貨幣が５倍貨（５０００円券、５００円硬貨、５０円硬貨および５円硬貨）の場合は、（一つ下の金種の貨幣×５）を両替貨幣とする。
さらに、投入貨幣が２０００円券の場合は、（１０００円券×２）を両替貨幣とする。
【００６９】
以上により、以下に示す両替貨幣が決められる。
【００７０】
１００００円券１枚＝５０００円券１枚＋１０００円券５枚
５０００円券１枚＝１０００円券５枚
２０００円券１枚＝１０００円券２枚
１０００円券１枚＝５００円硬貨１枚＋１００円硬貨５枚
５００円硬貨１枚＝１００円硬貨５枚
１００円硬貨１枚＝５０円硬貨１枚＋１０円硬貨５枚
５０円硬貨１枚＝１０円硬貨５枚
１０円硬貨１枚＝５円硬貨１枚＋１円硬貨５枚
５円硬貨１枚＝１円硬貨５枚
１円硬貨１枚＝１円硬貨１枚
【００７１】
他方、ステップＳ８で複数枚であると判定した場合、制御部８１は、今回の両替モードで投入された一回分の投入貨幣の合計金額と同額であって、出金可能な貨幣による最少枚数となる金額の組み合わせを演算して該組み合わせの両替貨幣を、上記した出金動作を行うことで出金させる（ステップＳ１０）。つまり、今回の両替モードで硬貨入金口１５および紙幣入金口２１の少なくともいずれか一方に投入された一回分の投入貨幣の総額を高額金種順に除算していく、いわゆる逆両替を行う。この場合、通常運用モードの釣銭払い出しでは出金されることがない１００００円券用の紙幣収納部４０からも必要により紙幣が繰り出される。
【００７２】
そして、ステップＳ９，Ｓ１０で両替貨幣を出金させる出金動作つまり両替モード下で実行される入金動作および出金動作からなる両替動作が完了すると、制御部８１は、両替モードのプログラムを、ＲＯＭ８２から読み出される通常運用モード用のプログラムに置き換える。つまり、両替モードを自動的に解除して通常運用モードに復帰させる（ステップＳ１１）。その後、両替モードへの切り替え操作が入力されるまでは貨幣入出金機１０は通常運用モードで動作する。
【００７３】
ステップＳ１で、全紙幣収納部３８〜４０および全硬貨収納部７３のうちのいずれかの収納量が所定の基準量に達したフル状態にある場合、制御部８１は、硬貨入金口１５および紙幣入金口２１の少なくともいずれか一方に投入された投入貨幣を硬貨識別部６３および紙幣識別部３２で金種判定および計数させて全紙幣収納部３８〜４０、紙幣回収庫２４および全硬貨収納部７３の対応するものに収納させるとともに投入貨幣に対する同額の両替貨幣を収納量が基準量に達した収納部から優先的に硬貨出金口１８および紙幣出金口２２の少なくともいずれか一方に出金させる多貨幣優先払出両替モードに切り替える。
【００７４】
多貨幣優先払出両替モードのプログラムを実行すると、まず、多貨幣優先払出両替モードに切り替わった旨と、収納量が所定量に達した貨幣の金種と、収納量が所定量に達した貨幣の金種に対し予め定められてＲＯＭ８２に記憶された最適な投入金額とを案内表示部１７に表示させるとともに、図示せぬアラーム報知装置（アラーム報知手段）によりアラーム音を発生させる（ステップＳ１２）。
【００７５】
ここで、最適な投入金額を設定するにあたり、５００円硬貨以外の硬貨については最大払出枚数が１金種あたり５０枚に設定されており、５００円硬貨のみ、最大払出枚数が３０枚に設定されている。この最大払出枚数は、この枚数の貨幣を放出しても収納部に残る貨幣量が極端に減ることにならず以後の取引に支障のない程度の数量であって、しかも硬貨出金口１８および紙幣出金口２２の容量を超えない数量に設定される。このような条件を満足すれば、最大払出枚数を上記に対し変更することも勿論可能である。
【００７６】
これにしたがって、例えば１００円硬貨が基準量に達した場合に、ステップＳ１２において、１００円硬貨５０枚分の金額、つまり５千円分の貨幣（１００円硬貨を除く）の投入を促す表示を案内表示部１７に表示させる。これにより、操作者は、基準量に達した金種の貨幣を効率良く両替放出させることのできる金額を容易に把握することが可能になる。そして、この金額分の貨幣が硬貨入金口１５および紙幣入金口２１の少なくともいずれか一方に投入されることで、基準量に達した貨幣の金種の収納部にほどよい収納可能空間を形成することができる。つまり、１００円硬貨が基準量に達した場合に、千円分の貨幣である１０００円券１枚または５００円硬貨２枚が投入されると、１００円硬貨は１０枚しか両替放出されず、その後の取引によってはあまり時間が経過しない段階で再度基準量に達してしまう可能性が高いが、投入すべき金額を案内表示部１７に表示させることで、基準量に達した貨幣の金種の収納部にほどよい収納可能空間を形成することができる。
【００７７】
以上により、基準量に達した場合に案内表示部１７に表示させる表示は以下のようになる。
【００７８】
１円硬貨基準量到達検知・・・５０円投入指示表示
５円硬貨基準量到達検知・・・２５０円投入指示表示
１０円硬貨基準量到達検知・・・５００円投入指示表示
５０円硬貨基準量到達検知・・・２５００円投入指示表示
１００円硬貨基準量到達検知・・・５０００円投入指示表示
５００円硬貨基準量到達検知・・・２５０００円投入指示表示
１０００円券基準量到達検知・・・５００００円投入指示表示
５０００円券基準量到達検知・・・２５００００円投入指示表示
１００００円券基準量到達検知・・・紙幣回収庫２４への移動操作指示表示（例えば５０枚）
【００７９】
次に、硬貨部１１および紙幣部１２の少なくともいずれか一方に貨幣が投入されたか否かセンサの出力により判定し（ステップＳ１３）、投入されたことが検出されると、硬貨部１１および紙幣部１２のうち貨幣が投入されたものに上記と同様の入金動作を行わせる（ステップＳ１４）。これにより、今回硬貨入金口１５および紙幣入金口２１の少なくともいずれか一方に投入された一回分の投入貨幣が、真偽および金種の識別、計数が行われた後にそれぞれ対応する収納部に収納される。なお、制御部８１は、硬貨部１１の硬貨入金口１５および紙幣部１２の紙幣入金口２１への貨幣の投入にそれぞれ待ち時間を設定しており、この待ち時間内に硬貨入金口１５および紙幣入金口２１の少なくともいずれか一方に投入された貨幣については同じ一回の投入貨幣として取り扱う。
【００８０】
そして、入金動作が完了すると（ステップＳ１５）、制御部８１は、今回投入された一回分の投入貨幣の金種および枚数の計数結果および合計金額を案内表示部１７に表示させる（ステップＳ１６）。続いて、制御部８１は、今回投入された貨幣の総額から両替貨幣を演算設定し（ステップＳ１７）、この設定にしたがって上記出金動作と同様に払い出しを行う（ステップＳ１８）。
【００８１】
ステップＳ１７では以下のようにして両替貨幣を設定する。
「投入貨幣の総額」÷「収納量が基準量に達した金種の単位金額」の商を「算出枚数」とする。
次に、「算出枚数」＜「最大払出枚数」の場合は、「算出枚数」＝「両替枚数」にするとともに、「投入貨幣の総額」−「収納量が基準量に達した金種の単位金額×両替枚数」＝「両替残金額」とする。なお、最大払出枚数は上記のように金種毎に予め設定されるものである。
【００８２】
他方、「算出枚数」＞「最大払出枚数」の場合は、「最大払出枚数」＝「両替枚数」にするとともに、「投入貨幣の総額」−「収納量が基準量に達した金種の単位金額×両替枚数」＝「両替残金額」とする。
【００８３】
そして、いずれにおいても、収納量が基準量に達した金種の貨幣を設定された「両替枚数」だけ出金させるとともに、「両替残金額」＞０の場合は、両替残金額を、出金可能な貨幣の最少枚数で支払うように設定し出金させる。
【００８４】
ここで、例えば１００円硬貨の硬貨収納部７３がフル状態となる所定の基準量に達したことが検知された状態にある場合、投入貨幣として１００００円券１枚が投入されたとすると、通常は５０００円券１枚と１０００円券５枚を両替貨幣として払い出すが、１００円硬貨５０枚と５０００円券１枚とを両替貨幣として払い出すことになる。つまり、所定の基準量に達した貨幣と、残りを最少枚数になるような金種の組み合わせにして両替貨幣として払い出す。
【００８５】
そして、ステップＳ１８で両替貨幣を出金させる出金動作が完了すると、制御部８１は、多貨幣優先払出両替モードのプログラムを、ＲＯＭ８２から読み出される通常運用モード用のプログラムに置き換える。つまり、多貨幣優先払出両替モードを自動的に解除して通常運用モードに復帰させる（ステップＳ１１）。
【００８６】
なお、入金処理時に２０００円券を紙幣回収庫２４ではなく５０００円券と共通の紙幣収納部３８に収納させるようにすることも可能であるが、出金用の紙幣を識別する出金識別部が設けられていないため、この紙幣収納部３８から紙幣を出金させることはできなくなる。よって、通常運用モードおよび両替モードのいずれにおいても紙幣収納部３８以外の紙幣収納部３９，４０からのみ、つまり１０００円券と１００００円券とを繰り出させることになる。
【００８７】
また、２０００円券専用の紙幣収納部が設けられる場合には、１０００円券および５０００円券と同様な制御、つまり投入指示金額（１０００００円）を表示することが可能である。
【００８８】
紙幣については、紙幣回収庫２４があることから、紙幣回収庫２４への回収する内部移送モードが優先されるように設定しても良い。つまり、紙幣収納部３８〜４０のいずれかでフル状態となる基準量に達した場合には自動的にモードが内部移送モードに切り替わり、所定枚数の紙幣が紙幣回収庫２４へと自動的に移動させられ、移動終了後、自動的に元のモードに復帰するように設定するのである。
【００８９】
この場合、紙幣回収庫２４がフル状態になると、紙幣回収庫２４の回収すなわち紙幣回収庫２４の交換の指示表示を行う。
【００９０】
また、上記のように基準量に達したことが検知されて投入すべき金額を案内表示部１７に表示させた場合に、これを超える投入金額があった場合には、その差額については、基準量に達したことが検知された金種を除いた金種によって、最少枚数払いとなる金種および枚数の組み合わせを算出して両替放出する。
【００９１】
加えて、収納量が基準量に達したか否かの判定は検出センサおよび計数結果の少なくともいずれか一方に基づいて行えば良い。
【００９２】
以上に述べた本実施形態の貨幣入出金機１０によれば、検出センサ９０〜９２，９５〜１００の検出結果およびＲＡＭ８３に記憶された金種毎の収納枚数から、全紙幣収納部３８〜４０および全硬貨収納部７３のうちのいずれかの収納量が所定の基準量（所定値）に達したフル状態にある場合に、制御部８１が、硬貨入金口１５および紙幣入金口２１の少なくともいずれか一方に投入された投入貨幣を硬貨識別部６３および紙幣識別部３２で金種判定および計数させて全硬貨収納部７３、全紙幣収納部３８〜４０および紙幣回収庫２４のいずれかに収納させるとともに投入貨幣に対する同額の両替貨幣を収納量が所定量に達した収納部から優先的に硬貨出金口１８および紙幣出金口２２の少なくともいずれか一方に出金させる多貨幣優先払出両替モードに切り替えるため、手元金の一部を投入すれば、同額の両替貨幣を収納量が所定量に達した収納部から出金させることになって収納量が所定量に達した収納部の貨幣量を減らすことができる。よって、収納部から貨幣を回収する回収作業を行うことなく、また運用を停止させることなく続けることが可能になる。したがって、運用効率およびサービスの向上を図ることができる。
【００９３】
つまり、検出センサ９０〜９２，９５〜１００の検出結果から、全紙幣収納部３８〜４０および全硬貨収納部７３のうちのいずれかがフル状態となっている場合に制御部８１は自動的に多貨幣優先払出両替モードに切り替えることになるが、操作者が、フル状態の金種よりも高額の貨幣を１枚投入すれば、投入貨幣が少額貨幣であるフル状態の金種の貨幣から払い出されることになり、フル状態の金種の貨幣について回収作業を行うことなく、貨幣入出金機１０の運用を継続させることが可能になる。これは、全紙幣収納部３８〜４０および全硬貨収納部７３のうちのいずれかがフル状態となっている場合に制御部８１は通常の運用を中断させてしまうことになり、回収作業等を行ってフル状態の貨幣を減らさないと通常の運用を再開させることはできないが、多貨幣優先払出両替モードで両替をすることでフル状態の貨幣を優先的に減らすことができる。つまり、客を待たせて貨幣の回収作業を行うことは好ましくなく、また回収のみを行うと貨幣入出金機内の在り高をむやみに減らしてしまうことになり、管理上好ましくないが、両替であれば、両替用に僅かな貨幣を貨幣入出金機１０の近くに保管しておくことで、素早く、しかも貨幣入出金機内の在り高をむやみに減らすことなく、フル状態またはニアフル状態の貨幣を減らすことができるのである。
【００９４】
また、多貨幣優先払出両替モードに切り替わったときに、その旨と、収納量が所定量に達した貨幣の金種とを案内表示部１７に表示するため、操作者は案内表示部１７を確認することで、多貨幣優先払出両替モードに切り替わったこととその金種とを確認できる。したがって、収納量が所定量に達した貨幣を払い出させるために必要な投入すべき金種の貨幣または金額の貨幣を容易に判断できる。
【００９５】
さらに、多貨幣優先払出両替モードに切り替わったときに、アラーム報知装置によりアラーム音を発生させるため、多貨幣優先払出両替モードに切り替わったことを操作者に確実に認識させることができる。
【００９６】
加えて、多貨幣優先払出両替モードに切り替わったときに、収納量が所定量に達した貨幣の金種に対し予め定められた最適な投入金額を案内表示部１７に表示するため、操作者は表示にしたがって貨幣を投入すれば良くなる。したがって、収納量が所定量に達した貨幣を払い出させるために必要な投入すべき金種の貨幣または金額の貨幣を即座に投入できる。
【００９７】
さらに、案内表示部１７に表示した最適な投入金額を超える金額が投入されたとき、これらの差額を、収納量が所定量に達した貨幣の金種を除いた金種によって、出金可能な貨幣の中で最少枚数払いとなる金種および枚数の組み合わせにより出金することになるため、操作者は、表示された投入すべき金額をあまり気にせずにそれを超える金額の貨幣を投入すれば済むことになる。
【００９８】
加えて、多貨幣優先払出両替モードにおける収納量が所定量に達した貨幣の払い出し上限枚数が予め設定されているため、不要に多量の貨幣を払い出してしまうことを防止することができる。
【００９９】
さらに、紙幣について、いずれかの金種において貨幣の収納量が所定量に達したことが検出された場合には、多貨幣優先払出両替モードに優先して、収納量が所定量に達した紙幣収納部３８〜４０から紙幣回収庫２４に紙幣を移送する内部移送モードを実行することで、両替をすることなく、収納量が所定量に達した紙幣収納部３８〜４０から紙幣回収庫２４に紙幣を移送してその収納量を減らすことができる。
【０１００】
なお、紙幣収納部３８〜４０および硬貨収納部７３の貨幣量がフル状態の基準量よりも少ない第２の基準量（第２の所定量）に達したことが検出センサ９０〜９２，９５〜１００で検出されると、貨幣の収納量が第２の基準量に達した旨と、収納量が第２の基準量に達した貨幣の金種とを案内表示部１７に表示するとともに、多貨幣優先払出両替モードに切り替え可能な状態にしても良い。このようにすれば、操作者は案内表示部１７を確認することで、多貨幣優先払出両替モードに切り替わることが近い状態にあることとその金種とを確認でき、そして、必要に応じて操作部１６への入力等で多貨幣優先払出両替モードに切り替えて第２の所定量に達した貨幣を両替貨幣として払い出し、減らすことができる。
【０１０１】
また、ニアフル状態になると自動的に多貨幣優先払出両替モードに切り替えるようにしても良い。
【０１０２】
また、よりシンプルな両替処理を行うために、上記したステップＳ７，Ｓ１６で、金種および枚数の計数結果を案内表示部１７に表示させた後、自動的に、ステップＳ８，Ｓ１７以降で、両替貨幣の払い出しを行うようにしたが、投入金額の確認を行わせるようにしても良い。つまり、ステップＳ７の後およびステップＳ１６の後のそれぞれにおいて投入金額を了解する旨の操作入力が入力された場合に限り、その後のステップを実行し、投入金額を了解せず、再投入や取消等の操作入力が入力された場合は、それぞれ任意の処理を行えるようにしても良い。
【図面の簡単な説明】
【０１０３】
【図１】本発明の一実施形態の貨幣入出金機を示す斜視図である。
【図２】本発明の一実施形態の貨幣入出金機の紙幣部を概略的に示す側断面図である。
【図３】本発明の一実施形態の貨幣入出金機の硬貨部を概略的に示す側断面図である。
【図４】本発明の一実施形態の貨幣入出金機の制御系ブロック図である。
【図５】本発明の一実施形態の貨幣入出金機の両替モードの制御内容を示すフローチャートである。
【符号の説明】
【０１０４】
１０  貨幣入出金機
１５  硬貨入金口（入金口）
１８  硬貨出金口（出金部）
２１  紙幣入金口（入金口）
２２  紙幣出金口（出金部）
２４  紙幣回収庫（第２の収納部）
３２  紙幣識別部（貨幣識別計数手段）
３８〜４０  紙幣収納部（収納部）
４７〜４９  出金紙幣繰出部（繰出手段）
６３  硬貨識別部（貨幣識別計数手段）
７３  硬貨収納部（収納部）
８１  制御部（モード自動切替手段）
８３  ＲＡＭ（検出手段）
９０〜９３，９５〜１００  検出センサ（検出手段）
１０２  両替モード切替キー（指定手段）
【図１】
2005275747.tif 000003
【図２】
2005275747.tif 000004
【図３】
2005275747.tif 000005
【図４】
2005275747.tif 000006
【図５】
2005275747.tif 000007